(57)【特許請求の範囲】
【請求項１】
一対の把持部材の基部を軸で開閉自在に連結し、軸受部に備えたばねの付勢により、常時両把持部材の先端部を互いに開放方向に付勢するとともに、中空に形成された両把持部材の先端部に具えた開口部に、それぞれヒーターの通電により発熱する熱板を互いに向かい合わせに装着したヘアーアイロンにおいて、前記熱板は、側面部に具えた外側縁を前記開口部の口縁の裏面に掛止させて開口部との間に適宜のクリアランスを形成させるように嵌合するとともに、開口部の底面との間に、中央部に前記ヒーターの幅に見合う広幅部分を具え、前後に熱板の内側縁の間から開口部の底面に接するように具えた斜面部分を有して、上記熱板を前面側に付勢する板ばねを設けたことを特徴とするヘアーアイロン。
【請求項２】
前記板ばねは、前記先端部の開口部の底面と前記ヒーターの裏面との間に介設されていて、該ヒーターを介して前記熱板を前面側に向けて付勢するように設けたことを特徴とする請求項１記載のヘアーアイロン。
【請求項３】
前記板ばねは、前記熱板の内側面部に具えた外側縁と嵌合する折り曲げ部と、該折り曲げ部から長さ方向に沿って前後に延長されて、それぞれ前記開口部の底面に圧接する斜面部とによって構成されており、前記ヒーターは、上記熱板の側面部に具えた内側縁との間に介設した第２の板ばねに付勢されて上記熱板と密着するように構成されていることを特徴とする請求項１記載のヘアーアイロン。
【請求項４】
前記把持部材の先端部は、該把持部材を形成する一方の割り型部材の先端部の正面に具えたねじ孔部と、このねじ孔と重なり合うように他方の割り型部材の先端部正面に具えたねじ孔部と、両ねじ孔部を挿通する止めねじと、止めねじの内端と螺合するねじ孔付きの座板と、この座板を保持する差込み部とを備え、上記止めねじとねじ孔との螺合によって上記割り型部材の先端部の正面部を互いに一体に締結するように構成したことを特徴とする請求項１記載のヘアーアイロン。
【発明の詳細な説明】
【０００１】
【発明の属する技術分野】
この発明は、主として美容サロンなどで業務用に使用されるヘアーアイロンに関し、軸とばねで開閉自在に連結された一対の把持部材の先端部に、熱板を弾性的に保持させるようにしたことを特長とするものである。
【０００２】
【従来の技術】
この種のヘアーアイロンは、例えば特開２０００−２３２９１１号公報に示されるように、一対の把持部材の基部を軸で開閉自在に連結し、軸受部に備えたばねの付勢により、常時両把持部材の先端部を互いに開放する方向に付勢するとともに、両把持部材の先端部に具えた開口部内に、ヒーターの通電により発熱する熱板を互いに向い合わせになるように備えている。
【０００３】
【発明が解決しようとする課題】
従来のヘアーアイロンは、上記公報の図３、４に示されるように、熱板の側面の下縁を断面Ｔ字形に形成して、内側縁間にヒーターを包持させ、外側の両側縁を開口部の内側面に形成した嵌合溝に嵌め込んで、熱板を把持部材に対して固定的に支持させるようにしていた。
そのため、把持部材を閉じ合わせる角度と髪を挟む熱板の角度とが等しくなって、手元側で狭く先端部側で開く傾向になって、髪を挟む熱板の面を平行させることが難しく、加熱、加圧が不均等になり易いという欠点があった。
【０００４】
このようなことから本発明が解決しようとする課題は、熱板を把持部材に対して弾性的に保持させることによって把持部材を閉じる角度に左右されずに、また、挟む髪の量の多寡を問わずに熱板の表面がほぼ均等に髪に当たるようにすることにある。
【０００５】
【課題を解決しようとする課題】
上記の課題を解決するために本発明は、一対の把持部材の基部を軸で開閉自在に連結し、軸受部に備えたばねの付勢により、常時両把持部材の先端部を互いに開放方向に付勢するとともに、中空に形成された両把持部材の先端部に具えた開口部に、それぞれヒーターの通電により発熱する熱板を互いに向かい合わせに装着したヘアーアイロンにおいて、前記熱板は、側面部に具えた外側縁を前記開口部の口縁の裏面に掛止させて開口部との間に適宜のクリアランスを形成させるように嵌合するとともに、開口部の底面との間に、中央部に前記ヒーターの幅に見合う広幅部分を具え、前後に熱板の内側縁の間から開口部の底面に接するように具えた斜面部分を有して、該熱板を前面側に付勢する板ばねを設けたことを特徴とするヘアーアイロンを提供するものである。
【０００６】
上記のように把持部材の開口部に対してクリアランスを形成させて熱板を装着し、開口部の底面との間に介設した板ばねによりこの熱板を前面側に付勢させるようにした本発明ヘアーアイロンは、上記クリアランスの範囲で熱板を可動に備えているので、把持部材を閉じる角度に左右されず、また、挟む髪の量の多寡に応じて、熱板自体が姿勢を変えて髪に接触し、挟んだ髪に対する加熱、加圧が表面全体で均等に近くなって所望のヘアースタイルに整えるアイロン操作が容易になる。
【０００７】
把持部材の先端部の開口部底面と熱板に接するヒーターとの間に板ばねを介設してヒーターと共に熱板を付勢させるようにした請求項２の発明によれば、熱板とヒーターとの接合のために要する特別な構造が省けるので、部品数と組立の手数を低減することができ、この種のヘアーアイロンのコストダウンができる。
【０００８】
また、板ばねを、熱板の内側面部に具えた外側縁と嵌合する折り曲げ部と、該折り曲げ部から長さ方向に沿って前後に延長されて、それぞれ前記開口部の底面に圧接する斜面部とによって構成し、ヒーターを、上記熱板の側面部に具えた内側縁との間に介設した第２の板ばねに付勢させて上記熱板と密着するようにした請求項３の発明には、熱板に対する板ばねの嵌合位置を前後に微妙にずらして、髪への加圧位置を加減する場合の調整操作が容易になるという利点がある。
【０００９】
また、請求項４の発明は、把持部材を形成する一方の割り型部材の先端部の正面にねじ孔部を具え、このねじ孔と重なり合うように他方の割り型部材の先端部正面にねじ孔部を具え、両ねじ孔部を挿通する止めねじと、止めねじの内端に螺合するねじ孔付きの座板と、一方の割り型部材の先端部この座板を保持する差込み部を備えて、上記止めねじとねじ孔との螺合によって上記割り型部材の先端部の正面部を互いに一体に締結するように構成することによって、両割り型部材の先端部における結合を強化するようにしたものである。
【００１０】
【実施例】
以下に本発明の実施例を図面について説明する。
図１は、実施例１の分解斜視図、図２は、一部切欠側面図、図３は、開口部の縦断面図、図４は、把持部材の先端部分の分解図、図５は、実施例２の分解斜視図、図６は、実施例２の一部切欠側面図、図７は、実施例２の開口部の縦断面図である。
【００１１】
同上図において、１は把持部材、２は一対の把持部材１、１の基部（図示右側）を横に挿通して両把持部材を開閉自在に連結する軸、３は軸受部４内に装着されて両把持部材の先端部（図示左側）を常時開放方向に付勢するコイル形のばね、５は両把持部材の先端部に設けた開口部６にそれぞれ嵌合して互いに向かい合う熱板、７は熱板５の裏面に密着して通電により熱板を加熱するヒーター、８は開口部６の底面と熱板５との間に介設されて、熱板５を常時前面側に付勢する板ばねである。
【００１２】
把持部材１は、長さ方向に沿って左右に２分した割り型部材ａ、ｂで形成され、側面から挿入される３カ所の止めねじ１５と、軸受部４に挿通される一組のボルト・ナット１８により一体に結合する。
なお熱板５には、サッシュ状に形成したアルミの引抜き材を用い、ヒーター７にはセラミックヒーターを用いている。
【００１３】
実施例１において、熱板５は、図１、３に示すようにヒーター７の幅に応じた間隔で裏面の左右に下縁をＴ字形に形成した側面部９を具え、外側縁１０を開口部６の口縁１１の裏側に掛止させ、図３に示すように、裏面と開口部６の上面との間に適宜のクリアランス（昇降余裕ｃ）を形成させて開口部６内に嵌合する。
【００１４】
この熱板５を付勢する板ばね８は、図１に示すように、中央部分にヒーター７の幅に見合う広幅部分を具え、前後に熱板５の内側縁１２の間から開口部６の底面に達するように具えた斜面部分を有する。
実施例１の板ばね８は、図２に示すように、開口部６の底面とヒーター７の裏面との間に介在して熱板５を前面側に向けて付勢するとともにヒーター７を所定位置に保持する。
【００１５】
なお、実施例１の把持部材１の先端部は、図４に示すように、一方の割り型部材ａ（図示左側）の先端部の正面にねじ孔部１３を具え、このねじ孔１３と重なり合うようにしたねじ孔部１４を他方の割り型部材ｂの先端部正面に具え、両ねじ孔部１３、１４を挿通する止めねじ１５と、止めねじ１５の内端に螺合するねじ孔付きの座板１６と、一方の割り型部材ａの先端部に座板１６を保持する差込み部１７を備えて、上記止めねじ１５とねじ孔１６’との螺合によって割り型部材ａ、ｂの先端部を互いに一体に締結するように構成されている。
【００１６】
次に本発明の実施例２を図面について説明する。
図５、６、７に示すように、実施例２の把持部材１は実施例１とほぼ同じ形状であって、熱板５と板ばね８に若干の差異があり、板ばね８を、開口部６の底面と熱板５との間に介設して、熱板５を直接付勢させるようにした点と、別の２枚の第２の板ばね１９を熱板５とヒーター７との間に菱形に介設して、ヒーター７を熱板５に圧接させるようにした点とに構造上の相違がある。
【００１７】
上記熱板５は、前記実施例１とほぼ同じ位置に具えた外側縁１０を把持部材１の開口部６に掛止させて、図７に示すように開口部６との間にクリアランス（ｃ）を形成をしている。
またこの熱板５は、内側面の左右にヒーター７を挿入する段部２０を具え、段部２０の図示下方に逆Ｔ字形に内側面部２１を垂下し、内側面部２１の内側に上記第２の板ばね１９を挿入してヒーター７を付勢させている。
【００１８】
また、実施例２の板ばね８は、図５に示すように、上記熱板５の内側面部２１の外側縁２２に嵌合する折り曲げ部８ａと、折り曲げ部８ａの前後に延長されて開口部６の底面と接するようにした斜面部８ｂとで構成されていて、図６と図７に示すように開口部６の底面と熱板５との間に介在して熱板５を直接付勢させるように用いる。
【００１９】
前記のように構成した実施例１は、ヒーター７を保持する特別な構造を不要にして板ばね８の付勢によりヒーター７を所定位置に支持したので、構造が簡単になりコストダウンができる。また、実施例２は、ヒーター７の保持に無関係に、折り曲げ部８ａを具えた板ばね８を熱板５の内側面部２１の外側縁２２にガイドさせて移動させることができるので、熱板５と髪との圧接位置を前後に移動させたい場合の調整操作が実施例１に比べて容易にできるという利点がある。
【００２０】
なお、本発明の実施に際し、把持部材１、熱板５、板ばね８等の形状は実施例の態様に限らず、本発明の要旨にそって適宜に設計変更し得ることはいうまでもない。
また、熱板５に対する板ばね８の装着は、把持部材１の両方にするか一方のみにするかは任意である。
【００２１】
【発明の効果】
以上のようにして開口部との間にクリアランスを形成して開口部に嵌合させた熱板を内側から板ばねで付勢させるようにした本発明ヘアーアイロンは、上記クリアランスの範囲で熱板が可動に備えられているので、髪を挟んだ場合の手元側と先端側との間に角度が一定に形成されず、髪の厚さに添って熱板が互いに平行するように接触するので、前記従来品に比べて所望のヘアスタイルに仕上げることが容易になるなど、実用的に優れた効果がある。
【図面の簡単な説明】
【図１】図１は実施例１の分解斜視図
【図２】図２は一部切欠側面図
【図３】図３は開口部の縦断面図、
【図４】図４は把持部材の先端部分の分解図
【図５】図５は実施例２の分解斜視図
【図６】図６は実施例２の一部切欠側面図
【図７】図７は実施例２の開口部の縦断面図である。
【符号の説明】
１  把持部材  （ａ、ｂ  割り型部材）
２  軸
３  ばね
４  軸受部
５  熱板
６  開口部
７  ヒーター
８  板ばね  （８ａ  折り曲げ部、８ｂ  斜面部）
９  側面部
１０  外側縁
１１  口縁
１２  内側縁
１３、１４  ねじ孔部
１５止めねじ
１６  座板  （１６’  ねじ孔）
１７  差込み部
１８  ボルト・ナット
１９  第２の板ばね
２０  段部
２１  内側面部
２２  外側縁
ｃ  クリアランス
【図１】
0003618678.tif 000002
【図２】
0003618678.tif 000003
【図３】
0003618678.tif 000004
【図４】
0003618678.tif 000005
【図５】
0003618678.tif 000006
【図６】
0003618678.tif 000007
【図７】
0003618678.tif 000008